(57)【要約】      （修正有）【課題】カードをカード収納部に対して真っ直ぐに出し入れできる案内し、カードの収納及び取出し操作を容易かつ確実に行うことができるカードケースを提供すること。【解決手段】カード収納部１１０、１２０の少なくとも一端に切欠部１１２、１２２を形成し、にカードの出し入れを行う際に、カードの側辺が切欠部１１２、１２２と摺接することにより、カードの出し入れ方向をカード収納部１１０、１２０に対して真っ直ぐに案内するようにする。【選択図】図１
0003113493.tif 000002
【実用新案登録請求の範囲】
【請求項１】
少なくとも２のシート部材を重ね合わせ、該シート部材の周辺同士を接合して袋状に形成されたカード収納部を備えるカードケースであって、
前記カード収納部の開口部の少なくとも一端には、カードの側辺と摺接し、カードの出し入れ方向を案内する切欠部が形成されていることを特徴とするカードケース。
【請求項２】
シート部材が、中央で折曲げ可能な表材と、該表材の一端側に配置される第一裏材と、該表材の他端側に配置される第二裏材とからなり、
前記第一裏材は、前記表材の三辺に接合され、一辺が開口してなる第一カード収納部を形成し、
前記第二裏材は、前記表材の二辺に接合され、二辺が開口してなる第二カード収納部を形成することを特徴とする請求項１に記載のカードケース。
【請求項３】
シート部材には、図形、模様、文字又は図画が印刷されていることを特徴とする請求項１又は２に記載のカードケース。
【請求項４】
シート部材が透明若しくは半透明の軟質の合成樹脂からなることを特徴とする請求項１から３のいずれかに記載のカードケース。
【請求項５】
シート部材同士の接合が、熱溶着により行われることを特徴とする請求項１から４のいずれかに記載のカードケース。
【考案の詳細な説明】
【技術分野】
【０００１】
本考案は、名刺、定期券、キャッシュカード、プリペイドカード等のカード類を携帯する際にカードを収納するカード収納部を備えるカードケースに関するものである。
【背景技術】
【０００２】
従来より、名刺やキャッシュカード等のカード類は、カード収納部を備えるカードケースに収納して携帯することが行われている。カードケースの一般的な例としては、所望の大きさ、形状に裁断した二枚の合成樹脂製のシート部材を重ね合わせて、開口部となる部分を除いた周辺部を接合して袋状のカード収納部を形成してなるカードケースがある（特許文献１及び特許文献２参照）。しかしながら、このカードケースのように、カード収納部を単に袋状に形成したものでは、カードをカード収納部に挿入する際にカードが斜めに入ってしまうこともあり、収納操作を何度かやり直さなければならず、逆にカードを取り出す際には、収納されたカードに指がかかりにくく、取出し操作が行いにくいという問題があった。
【０００３】
そこで、カードの出し入れを容易に行えるようにしたカードケースが提案されている。このようなカードケースとしては、例えば、カード収納部を形成する二枚のシート部材のうちの少なくとも一のシート部材に、指を挿入できる程度の窓部を設け、その窓部からカードを押圧して挿脱方向に操作するようにしたもの（特許文献３参照）がある。しかしながら、このカードケースでは、窓部を設けたことでカードの取出し操作は容易に行うことができるものの、カードを収納する際にはカードが斜めに収納されてしまうという点は依然として改善されておらず、また、窓部よりカードの一部が露出するとともに、カードを押圧して操作するという点から、カードの保護性に劣るという問題があった。
【特許文献１】登録実用新案第３０５５１８８号公報、図１
【特許文献２】特開平１１−３２８２３号公報、図２
【特許文献３】特開２０００−３２５１２８号公報
【考案の開示】
【考案が解決しようとする課題】
【０００４】
本考案は、上述した問題を鑑みてなされたものであり、カード収納部に対してカードを真っ直ぐに出し入れできるようにして、カードの収納、取出し操作を容易かつ確実に行うことができるカードケースを提供することを課題とするものである。
【課題を解決するための手段】
【０００５】
上記課題を解決するために請求項１に記載した考案が採った手段は、少なくとも２のシート部材１０、２０、３０を重ね合わせ、シート部材１０、２０、３０の周辺同士を接合して袋状に形成されたカード収納部１１０、１２０を備えるカードケース１００であって、カード収納部１１０、１２０の開口部１１１、１２１の少なくとも一端には、カード２００の側辺２００ａ、２００ｂと摺接し、カード２００の出し入れ方向を案内する切欠部１１２、１２２が形成されていることを特徴とするカードケース１００、とするものである。
すなわち、カード収納部１１０、１２０にカード２００の出し入れを行う際に、カード２００の側辺２００ａ、２００ｂがカード収納部１１０、１２０の開口部１１１、１２１の少なくとも一端に設けた切欠部１１２、１２２と摺接することにより、カード２００の出し入れ方向をカード収納部１１０、１２０に対して真っ直ぐに案内するようにしたカードケース１００である。これにより、カード２００がカード収納部１１０、１２０に対して斜め方向に差し込まれたり引き出されたりすることを防止することができるので、カード２００の出し入れ操作を確実かつ容易に行えるようになる。
【０００６】
また、請求項２に記載した考案が採った手段は、シート部材１０、２０、３０が、中央で折曲げ可能な表材１０と、表材１０の一端側に配置される第一裏材２０と、表材１０の他端側に配置される第二裏材３０とからなり、第一裏材２０は、表材１０の三辺１０ａ、１０ｂ、１０ｃに接合され、一辺１０ｄが開口してなる第一カード収納部１１０を形成し、第二裏材３０は、表材１０の二辺１０ｃ、１０ｄに接合され、二辺３０ｃ、３０ｄが開口してなる第二カード収納部１２０を形成することを特徴とする請求項１に記載のカードケース１００、とするものである。
請求項２に記載したカードケース１００は、表材１０と、表材１０の一端側に第一裏材２０を配置し、この第一裏材２０を表材１０の三辺１０ａ、１０ｂ、１０ｃと接合して残りの未接合の一辺１０ｄを開口部１１１とした袋状の第一カード収納部１１０と、表材１０の他端側、すなわち、第一カード収納部１１０と対向する側に配置される第二裏材３０の二辺３０ａ、３０ｂを表材１０の二辺１０ｃ、１０ｄと接合し、残りの未接合の二辺３０ｃ、３０ｄを開口部１２１とした第二カード収納部１２０とを備えて、二つ折りにして複数枚のカード２００を収納できるようにしたカードケース１００である。
【０００７】
また、請求項３に記載した発明が採った手段は、シート部材１０、２０、３０には、図形、模様、文字又は図画が印刷されていることを特徴とする請求項１又は２に記載のカードケース１００、とするものである。
シート部材１０、２０、３０に、図形、模様、文字又は図画等を印刷することで、カードケース１００の意匠性を向上させることができる。このように印刷を施すようにすることで、例えば、商品や店舗情報等の広告を印刷して顧客に配布する等して広告宣伝媒体として使用することもできるようになる。
【０００８】
また、請求項４に記載した発明が採った手段は、シート部材１０、２０、３０が透明若しくは半透明の軟質の合成樹脂からなることを特徴とする請求項１から３のいずれかに記載のカードケース１００、とするものである。
シート部材１０、２０、３０を透明若しくは半透明の軟質の合成樹脂より構成することにより、カード収納部１１０、１２０に収納されるカード２００の表面を、わざわざカード２００を取り出さなくても視認できるようになる。
【０００９】
また、請求項５に記載した発明が採った手段は、シート部材１０、２０、３０同士の接合が、熱溶着により行われることを特徴とする請求項１から４のいずれかに記載のカードケース１００、とするものである。
シート部材１０、２０、３０同士の接合を熱溶着により行うことにより、シート部材１０、２０、３０同士を強固に接合できるとともに、接合部分を美しく仕上げることが可能となる。
【考案の効果】
【００１０】
請求項１に記載したカードケースによれば、カード収納部の開口部の少なくとも一端に、切欠部を形成したことにより、カードを出し入れする際に、切欠部がカードの側辺と摺接して、カードの向きがカード収納部に対して真っ直ぐになるよう案内されるので、カードの出し入れをスムーズに行うことができる。また、従来のカードケースに比しても、特別な材料、加工を必要としないので、低コストで提供することができる。
【００１１】
請求項２に記載したカードケースによれば、請求項１に記載のカードケースの効果に加えて、シート部材を中央で折曲げ可能な表材と、表材の一端側に配置される第一裏材と、表材の他端側に配置される第二裏材とから構成し、第一カード収納部と第二カード収納部の二つのカード収納部を設けたことにより、複数枚のカードをコンパクトに収納することができる。
【００１２】
請求項３に記載したカードケースによれば、請求項１又は２に記載したカードケースの効果に加えて、シート部材の表面に、図形、模様、文字又は図画等を印刷することにより、カードケースの意匠性を高めることができるとともに、広告宣伝媒体としても使用することができるようになる。
【００１３】
請求項４に記載したカードケースによれば、請求項１から３のいずれかに記載したカードケースの効果に加えて、シート部材を透明若しくは半透明の合成樹脂より形成したことにより、カード収納部に収納したカードをわざわざ取り出すことなく視認することができる。
【００１４】
請求項５に記載したカードケースによれば、請求項１から４のいずれかに記載したカードケースの効果に加えて、シート部材同士の接合を熱溶着により行うことにより、シート部材同士を強固に接合できるとともに、接合部分を美しく仕上げることができる。
【考案を実施するための最良の形態】
【００１５】
本考案に係るカードケースは、シート部材を重ね合わせ、これらシート部材の周辺部同士を接合して開口部が形成されたカード収納部を備えるカードケースであって、カード収納部の開口部の少なくとも一端に、カードの側辺と摺接し、カードの出し入れを案内する切欠部を備えることを主たる特徴とするものである。
【００１６】
シート部材としては、例えば、ポリプロピレン、再生ポリプロピレン、ポリエチレンテレフタレート（ＰＥＴ）、再生ポリエチレンテレフタレート（再生ＰＥＴ）、生分解性樹脂等の軟質の合成樹脂からなるものを用いることができる。このシート部材の厚さは特には限定されず、カードの出し入れ操作を容易に行えるようにするために、可撓性を確保できる厚さであればよい。また、シート部材には、透明若しくは半透明のものを用いることが好ましい。透明若しくは半透明の合成樹脂より形成すれば、カード収納部に収納されたカードの表面を、カードをわざわざ取り出さなくとも視認することができるようになり便利だからである。
また、このシート部材には、図形、模様、文字又は図画等の印刷を施してもよい。シート部材への印刷方法は、印刷が容易に剥がれるものでなければ特には限定されるものではなく、例えば、ＵＶオフセット印刷により行うことができる。
【００１７】
カード収納部は、少なくとも２のシート部材を重ね合わせ、それらの周辺部同士を接合し、少なくとも一辺を未接合とした開口部を有して形成される。具体的には、シート部材の三辺を接合し、残りの未接合の一辺を開口部とし、この開口部からカードの出し入れを行えるようにしたり、シート部材の互いに隣接する二辺を接合し、残りの未接合の二辺を開口部にしたりすることが考えられる。また、カード収納部は、一のシート部材に対して二以上のシート部材を重ね合わせて複数に形成してもよい。
シート部材同士の接合方法は、シート部材同士の接合を強固に行える方法であれば特には限定されるものではなく、例えば、熱溶着、超音波溶着等の方法により行うことができる。
【００１８】
上記のようにして形成されるカード収納部には、その開口部の少なくとも一端に切欠部が形成される。この切欠部はカード収納部にカードを出し入れするときに、カードの側辺と摺接して、カードの出し入れ方向が真っ直ぐになるように案内するために形成されるものである。従って、この切欠部はカード収納部に収納されるカードの側辺と対応する位置に形成する必要がある。切欠部の形状はＵ型若しくはＶ型に形成することが考えられ、切欠部の深さは上記機能を確保できるものであれば特に限定されるものではなく、適宜設定すればよい。
以下に、本考案の実施例を図に基づいて説明する。
【実施例１】
【００１９】
図１には、本実施例に係るカードケース１００が示されている。図１に示すように、カードケース１００は、３枚のポリプロピレンからなるシート部材、すなわち表材１０、第一裏材２０及び第二裏材３０からなる。表材１０は、横幅１４０ｍｍ、縦幅１００ｍｍに形成され、その横幅方向の中央には折曲げ線１１が設けられており、この折曲げ線１１で二つ折りできるようになっている。第一裏材２０は、横幅４０ｍｍ、縦幅１００ｍｍに形成され、表材１０の折曲げ線１１を境とした一端側に配設され、第一裏材２０の三辺２０ａ、２０ｂ及び２０ｃは、それぞれ表材１０の三辺１０ａ、１０ｂ及び１０ｃに熱溶着により接合されている。これにより、第一裏材２０のうち表材１０と接合されていない一辺２０ｄを開口部１１１とした袋状の第一カード収納部１１０が形成されている。
【００２０】
開口部１１１には、その両端に略Ｖ字型の切欠部１１２がそれぞれ形成されている。また、開口部１１１の中央には、略半円形状の切欠きからなるカード取出し部１１３が形成されている。
【００２１】
第二裏材３０は、横幅５０ｍｍ、縦幅１００ｍｍに形成され、表材１０の折曲げ線１１を境に第一カード収納部に対向する側に配設されている。そして、第二裏材の二辺３０ａ及び３０ｂがそれぞれ表材１０の二辺１０ｃ及び１０ｄに熱溶着により接合され、表材１０に接合されていない第二裏材３０の二辺３０ｃ及び３０ｄを開口部１２１とした第二カード収納部１２０が形成されている。また、開口部１２１を構成する第二裏材３０の二辺３０ｃ及び３０ｄは、それぞれ表材１０の一辺１０ｄ及び１０ｂに対して斜めに裁断されており、開口部１２１を構成する第二裏材３０の一辺３０ｃの端部には、略Ｖ字型の切欠部１２２が形成されている。
【００２２】
図２には、第一カード収納部１１０及び第二カード収納部１２０にカード２００が収納された状態を示している。図２に示すように、第一カード収納部１１０及び第二カード収納部１２０へのカードの収納は、それぞれ開口部１１１及び開口部１２１よりカード２００を挿入して行う。
【００２３】
図３には、第一カード収納部１１０にカード２００が出し入れされる状態を示している。図３に示すように、第一カード収納部１１０にカード２００を収納するには、開口部１１１よりカード２００を挿入することにより行われるが、このとき、カード２００の両側辺２００ａ及び２００ｂは、それぞれ開口部１１１の両端に形成される切欠部１１２、１１２に摺接することとなる。カード２００の両側辺２００ｂ及び２００ｂが切欠部１１２、１１２にそれぞれ摺接することにより、カード２００の挿入方向がカード収納部１１０に対して真っ直ぐになるように案内され、カード２００が第一カード収納部１１０に対して斜めに挿入されることを防止することが可能となる。逆に、第一カード収納部１１０からカード２００を取り出すには、開口部１１１に形成されたカード取出し部１１３からカード２００の上辺２００ｃを摘んで開口部１１１から引き出すことにより行うことができる。このときにも、カード２００の両側辺２００ａ及び２００ｂは切欠部１１２、１１２と摺接して、カード２００の引き出し方向が真っ直ぐに案内されることとなるので、カード２００が第一カード収納部１１０内で斜めになって引っ掛かることが防止でき、スムーズな操作が可能となる。
【実施例２】
【００２４】
図４には、実施例２に係るカードケース１００が示されている。実施例２に係るカードケース１００は、実施例１に係るカードケース１００と基本構成を同じくするものである。  従って、ここでは、実施例１との相違点についてのみ説明することとする。
【００２５】
本実施例に係るカードケース１００は、上記実施例１に係るカードケース１００を構成する表材１０の表面に印刷を施したものである。印刷はＵＶオフセット印刷によって行われている。このように、カードケース１００に印刷を施すことにより、意匠性を向上させることができる。また、図４に示すように、会社名等を印刷すれば、カードケース１００を広告宣伝媒体として使用することも可能となる。
【図面の簡単な説明】
【００２６】
【図１】実施例１に係るカードケースの斜視図である。
【図２】実施例１に係るカードケースにカードを収納した状態を示す平面図である。
【図３】実施例１に係るカードケースにカードを収納するときの状態を示す斜視図である。
【図４】実施例２に係るカードケースの斜視図である。
【符号の説明】
【００２７】
１０  表材
２０  第一裏材
３０  第二裏材
１００  カードケース
１１０  第一カード収納部
１１１  開口部
１１２  切欠部
１２０  第二カード収納部
１２１  開口部
１２２  切欠部
【図１】
0003113493.tif 000003
【図２】
0003113493.tif 000004
【図３】
0003113493.tif 000005
【図４】
0003113493.tif 000006